(57)【特許請求の範囲】
【請求項１】
ハンドルに回転自在に取り付けられたコアに吸収性パッドからなるローラカバーが巻着されたローラー体の表面に、超極細糸によってループ状に編織された超極細繊維によるメリヤス織りにより継ぎ目がなく伸縮性の大きい管状布体を、その両端の締め紐によって開口部を絞ることによりローラー体４から抜け落ちないように着脱自在に被覆してブラシ面としたローラーを形成したことを特徴とする塗装用ローラーブラシ。
【発明の詳細な説明】
【０００１】
【発明の属する技術分野】
本発明は、吸水性の回転ローラーに塗料を含浸させて塗装に用いる塗装用ローラーブラシに関する。
【０００２】
【従来の技術】
従来、塗装用ローラーブラシのローラーは、塗装作業の効率化や塗料の垂れ落ち防止の点から、塗料を多量に保留できることが望ましく、吸水性の大きいスポンジや繊維からなるナップをコアに巻き付けたローラーカバーが多く使用されている。
【０００３】
しかしながら、上記のローラーカバーは、スポンジの表面の肌理やナップの起毛状態が粗くて塗装面に対する密接性が不十分となり、塗装面の仕上がりに不満があった。また、塗料を保留するスポンジやナップの空隙率が低いので、塗料の濃度が低いと垂れ落ちてしまい、周囲を汚染し作業性を損なう欠点を有している。
【０００４】
実開平５ー７４６７９号公報には、超極細糸によって編んだ繊維で製したブラシ面構成布材を、回転自在に取り付けたローラー体の表面に貼着した塗装用ローラーブラシが開示されている。このローラーブラシは、超極細糸の使用に起因する繊維の特性により、塗装面への密接性が高く、保水性も極めて高いので、平滑な塗装面が得られ、塗料の垂れ落ちも少なく、既述したローラーの欠点を解消している。
【０００５】
【発明が解決しようとする課題】
しかしながら、このローラーブラシは、ローラー体の胴周面へブラシ面構成布材を貼着したものであるので、貼り付けたブラシ面構成布材の継ぎ目があり、塗装すると継ぎ目の痕跡が塗装面に残表する欠点を有している。
【０００６】
また、超極細糸によるブラシ面構成布材は塗料の含浸率が高いものではあるが、このローラーブラシのローラーは、紙質材料や合成樹脂材料などにより形成されたローラー体（コア）に布材を貼り付けたローラカバーであり、ローラーカバーに保留される塗料の量は布材の厚みに規制されている。従って、一回の塗料の含浸操作で更に広い面積の塗装を望む向きには不満があった。
【０００７】
また、ブラシ面構成布材が磨耗するとローラー全体を交換しなければならず不経済であった。
【０００８】
本発明は、上記の問題に鑑みてなされたもので、ローラー表面の痕跡が残表することなく平滑な塗装面の得られ、ローラーに塗料を十分保留でき、経済的なローラーブラシを提供することを目的としている。
【０００９】
【課題を解決するための手段】
前記課題を解決するために、本発明は、ハンドルに回転自在に取り付けられたコアに吸収性パッドからなるローラカバーが巻着されたローラー体の表面に、超極細糸によってループ状に編織された超極細繊維によるメリヤス織りにより継ぎ目がなく伸縮性の大きい管状布体を、その両端の締め紐によって開口部を絞ることによりローラー体４から抜け落ちないように着脱自在に被覆してブラシ面としたローラーを形成したことを特徴とする。
【００１０】
【発明の実施の形態】
以下、本発明の好適な実施の形態を添付図面を参照しながら詳細に説明する。
【００１１】
図１乃至図７は、本発明の塗装用ブラシの実施の形態を示すものであり、図１に示すように、ハンドル２０と、このハンドル２０のホルダーエリアＨに回転自在に取り付けられたローラー１とから構成されている。
【００１２】
ハンドル２０は、周知のものであり、グリップ２２と、アーム２３と、アーム２３の先方部の複数のスプリング鋼（図指省略）により弾性筒形状に形成されているホルダーエリアＨで構成されている。尚、符号２１はホルダーエリアＨの先端の軸受キャップである。
【００１３】
本実施の形態における、ホルダーエリアＨに着脱自在に嵌着されたローラー１は、図２に示すように、合成樹脂材や紙材やアルミニゥムで筒状に形成されたコア２と、このコア２の胴周面に巻き付けられたスポンジやパイルからなる吸収性パッド３とからなる周知のローラカバーをローラー体４としており、その表面に、図３に示す継ぎ目の無い管状布体５を密接に被覆して構成されている。
【００１４】
前記管状布体５は、主としてアクリル、ポリエステル、ポリアミド、またはこれらの混紡で１デニール（直径１０ミクロン）以下の極めて細い糸により編まれた超極細繊維が使用されており、図４に示すように、ループ状１０に編織するメリヤス織りにより超極細繊維による継ぎ目の無い伸縮性の大きい管状に形成されている。
【００１５】
ローラー体４に被せられた伸縮性の管状布体５は、ローラー体４の胴周面にぴったり密接するとともに、ループ状に編維されているので繊維の解れがおきにくく、保水性の大きなソフトな感触の布筒となっている。また、管状布体５は、その両端の締め紐６、６によって開口部７を絞ることにより、ローラー体４から抜け落ちないように着脱自在に固定されている。
【００１６】
尚、管状布体５の着脱自在な固定手段は図指の紐６に限るものではない。例えば、開口部７に弾性リングを設けて絞って固定してもよく、また、管状布体５の両端を前後に引き延ばして開口部７をローラー体４のコア２の孔８に挿入し、止め栓によってコア２の孔８に固定するようにしてもよい（図指省略）。
【００１７】
本実施の形態におけるローラー１は、ローラー体４である吸水性の大きいローラカバーに塗料が含浸するとともに、ローラー体４表面の超極細繊維の管状布体５にも含浸する。超極細糸による超極細繊維は空隙率の高い三次元構造を呈しており、ローラカバーの材質よりも更に含浸率の高いものであるので、従来のローラーブラシに比較して塗料の含浸率が高いものとなっている。
【００１８】
また、管状布体５は、超極細糸が奏する毛細管現象に基づき、含浸された塗料の留保性が極めて高い。従って、濃度の低い塗料でも保留できるとともに、ローラー１全体に含浸した塗料を垂れ落とすことなく保留する。従って、ローラー１は一回の塗料の浸漬操作で多量の塗料を含浸保留して広い面積の塗装を可能としており、作業が効率化される。
【００１９】
また、このローラー１は、塗装面には超極細糸により編織された管状布体５がブラシ面となって塗装面と接触するので、極めてブラシ面の密接性が高く、平滑な塗装面を得ることができる。また、管状布体５を継ぎ目がないものとしたので、塗装面に継ぎ目の痕跡が残表することがなく、塗跡やローラーの方向性の痕跡のない極めて上質の塗装面の仕上がりが得られる。
【００２０】
更に、ブラシ面となる管状布体５は、固定手段を解除することによりローラー体４から取り外すことが容易である。従って、管状布体５が磨耗した場合には、管状布体５のみを交換することができるうえに、汚れた場合には簡単に取り外して洗濯することができる。
【００２１】
図５は、別の実施の形態を示しており、経大な硬質のコア２をローラー体４として、コア２の胴周面に直接継ぎ目のない管状布体５を直接被覆したものである。
【００２２】
塗装面や塗料の性質から硬質のローラーを使用した方が良い場合は、上記の構成としてもよく、塗装面に継ぎ目の痕跡が残表しない上質の塗装面が得られる。
【００２３】
図６及び図７は、別の実施の形態を示しており、図において既述した実施の形態と同一部分については同一符号を付しその説明を省略する。
【００２４】
本実施の形態における管状布体４は、その一端部を縫着して閉じて形成してあり、ローラー体の両端面は、縦断面が直角な垂直面となっている。従って、管状布体４の閉じられた側をローラー１の先端面９として被覆したことにより、ローラー１の先端面９が垂直なブラシ面となっている。
【００２５】
管状布体４の端部の閉じる手段は、要はローラー１の先端面９をブラシ面とするものであるので、図指したような縫着手段に限るものではない。例えば、管状布体４の一端部を閉じ編み込んで袋状に形成してもよく、接着剤による接着手段、締着リングなどによる管状布体４の内側からの締着手段など、適宜の手段が用いられる。
【００２６】
本実施の形態の塗装用ローラーブラシは先端面９をブラシ面としているので、図７に示すように、塗装体１１の平面１２と、この平面１２に直交する垂直面１３とを同時に塗装することができるとともに、ローラー１の先端面９は縦断面直角に形成されているので、従来刷毛塗りで補っていた塗装体の角部１４も同時に塗装することができる。
【００２７】
【発明の効果】
本発明は、以上説明したような形態で実施され、以下に記載されるような効果を奏する。
【００２８】
ローラー体の表面に、超極細糸によってループ状に編織された超極細繊維による継ぎ目のない管状布体を密接に被覆したことにより、塗装面には継ぎ目のない管状布体がブラシ面となって接触するので、継ぎ目の痕跡が残表しない超極細繊維による極めて平滑で上質の塗装面の仕上がりが得られる。
【００２９】
また、周知の吸水性のローラカバーをローラー体として、これに管状布体を被覆してローラーを形成したことにより、ローラー全体に多量の塗料を含浸して垂れ落とすことなく保留することができる。従って、このローラーによるブラシによれば一回の塗料の浸漬操作で広い面積の塗装が可能となり、前記の効果に加えて塗装作業が効率化される。
【００３０】
しかも、本発明の塗装用ローラーブラシは、既製のローラカバーをローラー体として利用することができるので、極めて容易に且つ安価に供給することができる。
【００３１】
また、管状布体の先端面を閉じてローラーの先端部を垂直なブラシ面としたことにより、塗装体の平面も直交する垂直面もその角部も同時に塗装することができるので、塗装作業が著しく捗り、更に効率化される。
【００３２】
また、従来、ブラシ面が磨耗したり損傷すると  ローラーカバーをそっくり交換していたのに対し、ブラシ面となっている管状布体はローラー体に簡単に着脱できるので、管状布体のみ交換すればよく、経済的である。また、管状布体は取り外して洗濯ができるので、ブラシ面のメンテナンスが容易である。
【図面の簡単な説明】
【図１】  本発明の塗装用ローラーブラシの第一の実施の形態を示す斜視図。
【図２】  図１のブラシのローラーの拡大側面図。
【図３】  本発明に使用される管状布体の斜視図。
【図４】  図３の管状布体に用いる超極細繊維の説明用拡大図。
【図５】  第二の実施の形態に使用されるローラーの断面図。
【図６】  第三の実施の形態を示す斜視図。
【図７】  図６の塗装用ローラーブラシの使用状態を示す説明図。
【符号の説明】
１  ローラー，２  コア，３  吸収性パッド，４  ローラー体，５  管状布体，２０  ハンドル，
【図１】
0003646838.tif 000002
【図２】
0003646838.tif 000003
【図３】
0003646838.tif 000004
【図４】
0003646838.tif 000005
【図５】
0003646838.tif 000006
【図６】
0003646838.tif 000007
【図７】
0003646838.tif 000008